(57)【要約】【課題】なんらかの光源等を用いることなく、演出効果の観点から暗闇とされた舞台上における役者や歌手等の移動体に、その舞台上の自分の位置や向きを認識させることができる舞台演出支援装置を提供する。【解決手段】舞台１０及び観客席を収容した劇場内における舞台１０上あるいは舞台１０近傍の特定の位置に、特定の触感が得られるものとして配されるマーカー１２；１３を備え、舞台１０上において移動する移動体に、マーカー１２；１３に触れることによって得られる触感により舞台１０上における自らの位置あるいは位置及び向きを認識させて、舞台演出の遂行に資する。【選択図】図１
2008161290.tif 000002
【特許請求の範囲】
【請求項１】
舞台及び観客席を収容した劇場内における上記舞台上あるいは上記舞台近傍の特定の位置に、特定の触感が得られるものとして配される触感認識手段を備え、
上記舞台上において移動する移動体に、上記触感認識手段に触れることによって得られる触感により上記舞台上における自らの位置あるいは位置及び向きを認識させて、舞台演出の遂行に資する舞台演出支援装置。
【請求項２】
上記触感認識手段が、該触感認識手段の形状に特有の触感が得られるものとされることを特徴とする請求項１記載の舞台演出支援装置。
【請求項３】
上記触感認識手段が、該触感認識手段の素材, 原料あるいは加工処理に特有の触感が得られるものとされることを特徴とする請求項１記載の舞台演出支援装置。
【請求項４】
各々の触感が相違するものとされた複数個の上記触感認識手段が、上記舞台における複数箇所に夫々配されることを特徴とする請求項１記載の舞台演出支援装置。
【発明の詳細な説明】
【技術分野】
【０００１】
本願の特許請求の範囲に記載された発明は、舞台及び観客席を収容した劇場において、舞台で演じられる劇等についての舞台演出の遂行に役立つ、舞台演出支援装置に関する。
【背景技術】
【０００２】
劇場内において劇等を鑑賞する観客は、通常、その視覚及び聴覚を通じて、舞台で演じられている劇等を楽しむことになる。それゆえ、例えば、舞台上の劇等についての舞台演出を印象深いものとすべく、劇等の進行内容に応じて、劇場内における照明や音響効果等の調整が行われる。特に照明は、舞台演出の印象付けに効果的な演出手段とされ、例えば、暗転した舞台にいる演者をスポット光により際立たせる等の舞台演出に利用される。舞台にいる演者をスポット光により際立たせる舞台演出を行うためには、舞台上における演者の位置にスポット光の光源からの光を当てなければならず、そのためには、舞台上における演者の位置を検出し、検出された位置に応じて光源のからの投光方向を制御することが必要とされる。
【０００３】
このように、劇場内の舞台において劇等が演じられるにあたっては、舞台演出の遂行のため、舞台上における演者の位置の検出が必要とされることが少なくない。そこで、従来にあっては、舞台における演者等を移動体として捉え、その舞台上の位置を、電波発信・受信装置と超音波発信・受信装置とを用いて検出する舞台演出遂行方法が提案されている（例えば、特許文献１参照。）。
【０００４】
斯かる従来提案されている舞台演出遂行方法においては、劇場内の舞台を臨む位置に設置された電波発信装置から発信された電波信号が、舞台上の役者や歌手等である移動体により保持された超音波発振装置が有する電波検出器によって検出されると、その舞台上の移動体により保持された超音波発振装置から超音波が発信される。このようにして超音波発振装置から超音波が発信されると、その超音波が劇場内に舞台に関連して配置された複数の超音波検出装置により検出されて、超音波発振装置による超音波の発信から超音波検出装置の夫々による超音波の検出までの時間が計測される。そして、計測された時間に基づいて、超音波発振装置から各超音波検出装置までの距離が求められ、求められた距離と各超音波検出装置の位置とから、超音波発振装置についての、即ち、超音波発信装置を保持した舞台上の移動体についての空間座標系における座標位置データが求められる。従って、例えば、暗転した舞台上における特定領域に対応する座標の範囲内に属する座標位置データが得られると、移動体が舞台上における特定領域に到達したと認定されて、予め定められた演出プログラムに従い、例えば、音響装置が制御されるとともに、照明装置が移動体の位置を目標照明方向とすべく制御される。
【０００５】
【特許文献１】特開平７−２０１２０５号公報（第３頁〜第７頁、図１〜図３）
【発明の開示】
【発明が解決しようとする課題】
【０００６】
上述の従来提案されている舞台演出遂行方法にあっては、例えば、舞台が暗転中であって、舞台上における特定領域に到達した移動体を目視できないもとにあっても、その特定領域内における移動体の位置にスポット光を当てることが可能とされるが、移動体を暗転中の舞台上における特定位置にいかにして到達させるかについては不明である。即ち、移動体である役者や歌手等に要求される動きが、暗闇とされた舞台上における特定領域に単に到達すればよいだけの比較的簡単なものである場合には、役者や歌手等が、予め、舞台上における移動開始位置から特定領域まで移動する訓練を行っておくことにより、暗闇とされた舞台上における特定領域への到達が可能とされる。しかしながら、役者や歌手等に暗闇とされた舞台上を複雑に動き回ることが要求される場合には、当該役者や歌手等が、当該舞台上における自分の位置や向きを、随時なんらかの手段により認識できるようなすことが必要とされることになる。
【０００７】
このような暗闇とされた舞台上において、役者や歌手等に複雑な動きが要求されるとき、例えば、当該舞台を収容する劇場内における観客席側に、舞台上にいる役者や歌手等にその舞台上における自分の位置や向きを認識させるための、光源等を用意することも考えられる。しかしながら、観客席側にそのような光源等を用意することは、当該観客席にいる観客にとって、暗闇とされた舞台上で演じられる、例えば、劇についての臨場感等が損なわれ、舞台を暗闇としたことによる演出効果が減じられてしまうという問題がある。従って、なんらかの光源等を用意することなく、暗闇とされた舞台上における役者や歌手等に、舞台上における自分の位置や向きを認識させるための手段が必要とされることになるが、斯かる手段は従来にあっては見当たらない。
【０００８】
斯かる点に鑑み、本願の特許請求の範囲に記載された発明は、舞台及び観客席を収容する劇場内において、なんらかの光源等を用いることなく、演出効果の観点から暗闇とされた舞台上における役者や歌手等とされる移動体に、その舞台上の自分の位置や向きを認識させることができることになる舞台演出支援装置を提供する。
【課題を解決するための手段】
【０００９】
本願の特許請求の範囲における請求項１から請求項４までのいずれかに記載された発明（以下、本発明という。）に係る舞台演出支援装置は、舞台及び観客席を収容した劇場内における舞台上あるいは舞台近傍の特定の位置に、特定の触感が得られるものとして配される触感認識手段を備え、舞台上において移動する移動体に、触感認識手段に触れることによって得られる触感により舞台上における自らの位置あるいは位置及び向きを認識させて、舞台演出の遂行に資するものとされる。
【００１０】
上述のような本発明に係る舞台演出支援装置にあっては、特定の触感が得られるものとされる触感認識手段が、舞台上あるいは舞台近傍の特定の位置に配される。触感認識手段から得られる特定の触感は、例えば、触感認識手段の形状に特有の触感，触感認識手段の素材, 原料あるいは加工処理に特有の触感とされる。
【００１１】
このように、触感認識手段が舞台上あるいは舞台近傍の特定の位置に配されることにより、例えば、舞台が暗闇とされたときにおいても、その舞台上で動き回る役者や歌手等とされる移動体は、触感認識手段に触れることができ、触感認識手段に触れた際には、その触感認識手段から得られる触感により、触れたものが触感認識手段であることを認識することができる。そして、役者や歌手等とされる移動体が触れた触感認識手段は、舞台あるいは舞台近傍の特定の位置に配されているものであるので、予めその特定の位置を確認している役者や歌手等とされる移動体に、舞台上における自らの位置を認識させるものとなる。さらに、触感認識手段が、例えば、触感により認識可能な形状を有し、しかも、その形状が特定の向きをあらわすものとされる場合には、当該触感認識手段は、それに接触した役者や歌手等とされる移動体に、舞台上における自らの位置に加えて、自らの向きをも認識させるものとなる。その結果、舞台が暗闇とされたとき、その舞台で動き回る役者や歌手等とされる移動体に、舞台上の自らの位置や向きを認識させるための光源等を用意することは、不要とされる。
【発明の効果】
【００１２】
上述の本発明に係る舞台演出支援装置にあっては、特定の触感が得られるものとされた触感認識手段が、それに接触した舞台上の役者や歌手等とされる移動体に、当該舞台上の自らの位置あるいは位置及び向きを認識させる。それゆえ、本発明に係る舞台演出支援装置は、演出効果を高めるべく、舞台のみならず、当該舞台に対する観客席を含めた劇場内の全体が暗闇とされた場合にも、なんらかの光源等の用意を必要とすることなく、舞台上の役者や歌手等とされる移動体に、舞台上における自らの位置あるいは位置及び向きを認識させることができ、その結果、演出効果を損なうことなく、舞台上の役者や歌手等とされる移動体に所望の動きをさせる舞台演出を支援できるものとなる。
【発明を実施するための最良の形態】
【００１３】
本発明を実施するための最良の形態は、以下に述べられる、本発明についての実施例をもって説明される。
【実施例１】
【００１４】
図６は、本発明に係る舞台演出支援装置が適用される舞台とその舞台に対する観客席とを収容した劇場の一例を示す平面図である。
【００１５】
図６に示される劇場にあっては、その平面図上において、内部が長方形を成すものとされており、その内部の長手方向の略中央部に、長方形の舞台１０が設けられている。この舞台１０は、例えば、図６における下方側の長手方向端縁部側が前方側（正面側）とされ、また、図６における上方側の長手方向端縁部側が後方側（背面側）とされる。
【００１６】
そして、劇場内における舞台１０の前方側に面して複数の座席５０が配列配置されて、前方側観客席が設けられており、また、劇場内における舞台１０の後方側に面して複数の座席６０が配列配置されて、後方側観客席が設けられている。なお、前方側観客席の背後には、舞台効果の創出に供される機器や劇場内を監視するための機器が収容される機器用スペース７０が設けられている。
【００１７】
このようにして、図６に示される劇場には、舞台１０と複数の座席５０を含んだ前方側観客席及び複数の座席６０を含んだ後方側観客席とが収容されているのである。
【００１８】
図１は、本発明に係る舞台演出支援装置の第１の例を、それが配された舞台と共に示す。
【００１９】
図１において、一点鎖線により示される舞台１０は、図６に示される劇場に収容されたものであり、図１においては図示が省略されている観客席との関係で正面側とされる前方端縁部１０Ａと、左側方端縁部１０Ｂと、前方端縁部１０Ａに対向する後方端縁部１０Ｃと、右側方端縁部１０Ｄと、を有した長方形状のものとされている。そして、前方端縁部１０Ａと左側方端縁部１０Ｂとの間に左前方コーナ１０ａｂが形成され、左側方端縁部１０Ｂと後方端縁部１０Ｃとの間に左後方コーナ１０ｂｃが形成され、後方端縁部１０Ｃと右側方端縁部１０Ｄとの間に右後方コーナ１０ｃｄが形成され、右側方端縁部１０Ｄと前方端縁部１０Ａとの間に右前方コーナ１０ｄａが形成されている。
【００２０】
舞台１０の中央部には、本発明に係る舞台演出支援装置の第１の例が備える触感認識手段であるマーカー１２が舞台１０上に配されている。このマーカー１２は、例えば、スポンジ材が用いられて、ベースボールゲームに用いられるベースと同様な形状の五角形（ベース形状）に形成されたものとされ、そのベース形状の一角を成す頂点部分が、前方端縁部１０Ａに向かう方向に向けられている。
【００２１】
また、舞台１０の前方端縁部１０Ａの中央部分には、これも本発明に係る舞台演出支援装置の一例が備える触感認識手段であるマーカー１３が舞台１０上に配されている。このマーカー１３は、例えば、人工芝が植立されたシート材が用いられて偏平な長方形状に形成されたものとされ、その長辺部分を前方端縁部１０Ａが伸びる方向に沿わせて配されている。
【００２２】
このようなマーカー１２及び１３は、マーカー１２がベース形状を成すものとされ、また、マーカー１３が長方形状を成すものとされているので、夫々が、それに触れたとき、その形状、即ち、ベース形状あるいは長方形状に特有の触感が得られるものである。また、マーカー１２及び１３は、例えば、マーカー１２がスポンジ材で形成され、また、マーカー１３が人工芝が植立されたシート材で形成されていることにより、各々が、それに触れたとき、その素材，原料あるいは加工処理に特有の触感が得られるものである。
【００２３】
従って、舞台１０上に配されたマーカー１２あるいはマーカー１３に触れた者は、マーカー１２あるいはマーカー１３から得られる触感を記憶している限り、仮に目視できないとしても、その触感から、触れた物体がマーカー１２あるいはマーカー１３であることを直ちに認識することができる。それにより、マーカー１２あるいはマーカー１３に触れた者は、舞台１０上におけるマーカー１２あるいはマーカー１３の位置を記憶している限り、仮に目視による確認ができないとしても、舞台上における自らの位置を認識することができる。
【００２４】
特に、マーカー１２の場合には、それに触れた者が、マーカー１２が成す五角形の一角を成す頂点部分を触感から容易に識別することができ、頂点部分が識別されれば、その頂点部分が向かう方向に基づいて、舞台１０上における自らの向きを認識することができる。また、マーカー１３の場合には、それに触れた者が、マーカー１３が成す長方形状の長辺部分を触感から容易に識別することができ、長辺部分が識別されれば、その長辺部分が沿う方向に基づいて舞台１０上における自らの向きを認識することができる。
【００２５】
本発明に係る舞台演出支援装置の第１の例は、上述のマーカー１２及び１３を備えて構成されて、舞台１０に適用されているのである。そして、マーカー１２及び１３が上述のようにして舞台１０に配されたもとで、例えば、演出効果を高めるべく、舞台１０と観客席とを含めた劇場内の全体が暗闇とされた場合には、マーカー１２及び１３が、なんらかの光源等の用意を必要とすることなく、暗闇におかれた舞台１０上で移動する役者や歌手等とされる移動体（図示は省略されている。）に、舞台１０上における自らの位置あるいは位置及び向きを認識させる役割を果たす。
【００２６】
その際には、舞台１０上の移動体となる役者や歌手等は、予めマーカー１２及び１３の舞台１０上の位置と触れたときの触感とを記憶して、舞台１０に上がる。そして、暗闇におかれた舞台１０上で移動する役者や歌手等とされる移動体は、舞台１０の中央部においてマーカー１２に、例えば、足をもって触れるとき、それにより得られる触感から、触れた物体がマーカー１２であることを認識し、それにより、自らが舞台１０の中央部にいることを知り、舞台１０上における自らの位置を認識する。さらに、マーカー１２が成す五角形の頂点部分を、例えば、足が得る触感により識別し、それにより、当該頂点部分が向かう方向である舞台１０の前方端縁部１０Ａに向かう方向を認識し、それに基づいて舞台１０上における自らの向きを認識する。
【００２７】
また、暗闇におかれた舞台１０上で移動する役者や歌手等とされる移動体は、舞台１０における前方端縁部１０Ａの中央部分においてマーカー１３に、例えば、足をもって触れるとき、それにより得られる触感から、触れた物体がマーカー１３であることを認識し、それにより、自らが舞台１０における前方端縁部１０Ａの中央部分にいることを知り、舞台１０上における自らの位置を認識する。さらに、マーカー１３が成す長方形状における長辺部分を、例えば、足が得る触感により識別し、それにより、当該長辺部分が沿う方向である舞台１０の前方端縁部１０Ａが伸びる方向を認識し、それに基づいて舞台１０上における自らの向きを認識する。
【００２８】
従って、舞台１０に配されたマーカー１２及び１３を備えた本発明に係る舞台演出支援装置の第１の例は、演出効果を高めるべく、舞台１０のみならず、舞台１０に対する観客席を含めた劇場内の全体が暗闇とされた場合にも、なんらかの光源等の用意を必要とすることなく、舞台１０上の役者や歌手等とされる移動体に、舞台１０上における自らの位置あるいは位置及び向きを認識させることができ、その結果、演出効果を損なうことなく、舞台１０上の役者や歌手等とされる移動体に所望の動きをさせる舞台演出を支援できるものとなる。
【００２９】
上述の例においては、舞台１０が長方形状のものとされたもとで、２個のマーカー１２とマーカー１３とが用意され、マーカー１２が、スポンジ材が用いられてベース形状に形成されて、舞台１０の中央部に配され、マーカー１３が、人工芝が植立されたシート材が用いられて偏平の長方形状に形成されて、舞台１０における前方端縁部１０Ａの中央部分に配されているが、本発明に係る舞台演出支援装置にあっては、舞台は長方形状のものに限られず、例えば、円形，半円形等のものであってもよく、また、マーカーについての個数，配置場所，形状，素材，原料，加工処理等は、舞台の形状あるいは舞台上における移動体の動き等に応じて、適宜選定され得るものである。
【実施例２】
【００３０】
図２は、本発明に係る舞台演出支援装置の第２の例を、それが配された舞台と共に示す。
【００３１】
図２において一点鎖線により示される舞台１０は、図１に示される舞台１０と同様のものであり、その各部を図１と共通の符合をもって示し、それらについての重複説明を省略する。
【００３２】
図２においては、舞台１０の左前方コーナ１０ａｂの近傍，左後方コーナ１０ｂｃの近傍，右後方コーナ１０ｃｄの近傍及び右前方コーナ１０ｄａの近傍に、触感認識手段であるマーカー１５，１６，１７及び１８が夫々配されている。これらのマーカー１５，１６，１７及び１８は、各々が、例えば、円柱状を成すものとして、舞台１０の周囲に立設されたものとされる。
【００３３】
そして、マーカー１５，１６，１７及び１８は、夫々が、互いに異なる素材あるいは原料をもって形成されたもの、あるいは、互いに異なる表面加工処理が施されたものとされ、それにより、それらに触れた者が、各々から互いに異なる触感を得ることになるようにされる。例えば、マーカー１５，１６，１７及び１８の夫々が布製とされ、各々の織り方が、例えば、フランネル，別珍，ループ織り，平織等の、それに触れたときの触感が互いに異なることになるものとされる。それゆえ、マーカー１５〜１８の夫々は、その素材，原料あるいは加工処理に特有の触感が得られるものとして設置されることになる。
【００３４】
従って、舞台１０上にいて、舞台１０の各コーナの近傍に配されたマーカー１５〜１８のいずれかに、例えば、手で触れた者は、マーカー１５〜１８の夫々から得られる触感を記憶している限り、仮に目視できないとしても、その触感から、触れた物体がマーカー１５〜１８のいずれかであることを直ちに認識することができる。それにより、舞台１０上にいてマーカー１５〜１８のいずれかに、例えば、手で触れた者は、舞台１０の各コーナの近傍におけるマーカー１５〜１８の夫々の位置を記憶している限り、仮に目視による確認ができないとしても、舞台上における自らの位置を認識することができる。
【００３５】
本発明に係る舞台演出支援装置の第２の例は、上述のマーカー１５〜１８を備えて構成されて、舞台１０に適用されているのである。そして、マーカー１５〜１８が上述のようにして舞台１０の各コーナの近傍に配されたもとで、例えば、演出効果を高めるべく、舞台１０と観客席とを含めた劇場内の全体が暗闇とされた場合には、マーカー１５〜１８の夫々が、なんらかの光源等の用意を必要とすることなく、暗闇におかれた舞台１０上で移動する役者や歌手等とされる移動体（図示は省略されている。）に、舞台１０上における自らの位置を認識させる役割を果たす。
【００３６】
その際には、舞台１０上の移動体となる役者や歌手等は、予めマーカー１５〜１８の舞台１０の各コーナの近傍における位置と触れたときの触感とを記憶して、舞台１０に上がる。そして、暗闇におかれた舞台１０上で移動する役者や歌手等とされる移動体は、舞台１０の左前方コーナ１０ａｂの近傍，左後方コーナ１０ｂｃの近傍，右後方コーナ１０ｃｄの近傍及び右前方コーナ１０ｄａの近傍に夫々配されたマーカー１５〜１８のいずれかに、例えば、手で触れるとき、それにより得られる触感から、触れた物体がマーカー１５〜１８のいずれであるかを認識し、それにより、自らが舞台１０の左前方コーナ１０ａｂ，左後方コーナ１０ｂｃ，右後方コーナ１０ｃｄもしくは右前方コーナ１０ｄａの近傍にいることを知り、舞台１０上における自らの位置を認識する。
【００３７】
従って、舞台１０の各コーナの近傍に配されたマーカー１５〜１８を備えた本発明に係る舞台演出支援装置の第２の例は、演出効果を高めるべく、舞台１０のみならず、舞台１０に対する観客席を含めた劇場内の全体が暗闇とされた場合にも、なんらかの光源等の用意を必要とすることなく、舞台１０上の役者や歌手等とされる移動体に、舞台１０上における自らの位置を認識させることができ、その結果、演出効果を損なうことなく、舞台１０上の役者や歌手等とされる移動体に所望の動きをさせる舞台演出を支援できるものとなる。
【００３８】
上述の例においては、舞台１０が長方形状のものとされたもとで、４個のマーカー１５〜１８が用意され、それらが、例えば、円柱状を成す布製のものとされて、舞台１０の周囲に立設されたものとされているが、本発明に係る舞台演出支援装置にあっては、舞台は長方形状のものに限られず、例えば、円形，半円形等のものであってもよく、また、マーカーについての個数，配置場所，形状，素材，原料，加工処理等は、舞台の形状あるいは舞台上における移動体の動き等に応じて、適宜選定され得るものである。
【００３９】
また、上述の例におけるマーカー１５〜１８は、前述の第１の例におけるマーカー１２及び１３のうちの少なくとも一方との組合せとして備えられてもよい。
【実施例３】
【００４０】
図３は、本発明に係る舞台演出支援装置の第３の例を、それが配された舞台と共に示す。
【００４１】
図３において一点鎖線により示される舞台１０は、図１に示される舞台１０と同様のものであり、その各部を図１と共通の符合をもって示し、それらについての重複説明を省略する。
【００４２】
図３においては、舞台１０上における左前方コーナ１０ａｂの近傍，左後方コーナ１０ｂｃの近傍，右後方コーナ１０ｃｄの近傍及び右前方コーナ１０ｄａの近傍に、支柱２０, ２１，２２及び２３が夫々立設されて、支柱２３と支柱２０との間にロープ２４Ａが張られ，支柱２０と支柱２１との間にロープ２４Ｂが張られ，支柱２１と支柱２２との間にロープ２４Ｃが張られ、さらに、支柱２２と支柱２３との間にロープ２４Ｄが張られている。ロープ２４Ａは舞台の前方端縁部１０Ａの近傍においてそれと略平行に伸び、ロープ２４Ｂは舞台の左側方端縁部１０Ｂの近傍においてそれと略平行に伸び、ロープ２４Ｃは舞台の後方端縁部１０Ｃの近傍においてそれと略平行に伸び、ロープ２４Ｄは舞台の右側方端縁部１０Ｄの近傍においてそれと略平行に伸びている。
【００４３】
そして、ロープ２４Ａにおける支柱２０側の部分に、触感認識手段であるマーカー２６が１個固定されるとともに、ロープ２４Ａにおける支柱２３側の部分に、触感認識手段であるマーカー２６が連接するものとされて４個固定されている。また、ロープ２４Ｃにおける支柱２１側の部分に、触感認識手段であるマーカー２６が連接するものとされて２個固定されるとともに、ロープ２４Ｃにおける支柱２２側の部分に、触感認識手段であるマーカー２６が連接するものとされて３個固定されている。
【００４４】
各マーカー２６は、例えば、ロープ２４Ａあるいは２４Ｃが貫通する球状体を成すものとされる。また、各マーカー２６は、例えば、同じ素材あるいは原料をもって形成されたもの、あるいは、同じ表面加工処理が施されたものとされて、それに触れた者が、その素材，原料あるいは加工処理に特有の触感が得られるものとされる。
【００４５】
従って、舞台１０上において、ロープ２４Ａあるいは２４Ｃに固定された球状体を成すマーカー２６に、例えば、手で触れた者は、マーカー２６から得られる触感を記憶している限り、仮に目視できないとしても、その触感から、触れた物体がマーカー２６であることを直ちに認識することができ、しかも、単独でもしくは複数個が連接するものとされて配されたマーカー２６の個数を直ちに認識することができる。それにより、舞台１０上にいてマーカー２６に、例えば、手で触れた者は、舞台１０上に張られたロープ２４Ａ及び２４Ｃに固定されたマーカー２６の位置と個数とを記憶している限り、仮に目視による確認ができないとしても、舞台上における自らの位置を認識することができ、さらに、触れたマーカー２６が固定されたロープ２４Ａもしくはロープ２４Ｃとの位置関係から、舞台上における自らの向きを認識することができる。
【００４６】
本発明に係る舞台演出支援装置の第３の例は、上述のマーカー２６を備えて構成されて、舞台１０に適用されているのである。そして、マーカー２６が上述のようにして舞台１０上に張られたロープ２４Ａ及び２４Ｃに固定されて配されたもとで、例えば、演出効果を高めるべく、舞台１０と観客席とを含めた劇場内の全体が暗闇とされた場合には、マーカー２６が、なんらかの光源等の用意を必要とすることなく、暗闇におかれた舞台１０上で移動する役者や歌手等とされる移動体（図示は省略されている。）に、舞台１０上における自らの位置あるいは位置及び向きを認識させる役割を果たす。
【００４７】
その際には、舞台１０上の移動体となる役者や歌手等は、予め球状体を成すマーカー２６の舞台１０上に張られたロープ２４Ａ及び２４Ｃにおける位置と触れたときの触感とを記憶して、舞台１０に上がる。そして、暗闇におかれた舞台１０上で移動する役者や歌手等とされる移動体は、舞台１０上に張られたロープ２４Ａ及び２４Ｃに固定されたマーカー２６に、例えば、手で触れるとき、それにより得られる触感から、触れた物体がマーカー２６であることを認識し、また、触れたマーカー２６の個数、さらには、触れたマーカー２６が固定されたロープ２４Ａもしくはロープ２４Ｃの位置との関係から、舞台１０上における自らの位置及び向きを認識する。例えば、触れたマーカー２６の個数が１個もしくは４個であれば、舞台１０上における自らの位置は、舞台１０の前方端縁部１０Ａの近傍であって、前方端縁部１０Ａの中央部より左前方コーナー１０ａｂ側もしくは右前方コーナー１０ｄａ側に寄った位置であることを認識し、かつ、マーカー２６が固定されたロープ２４Ａが、例えば、自らの前方にあれば、舞台１０上における自らの向きは、舞台の前方に対向する観客席に正対する向きであることを認識する。また、例えば、触れたマーカー２６の個数が２個もしくは３個であれば、舞台１０上における自らの位置は、舞台１０の後方端縁部１０Ｃの近傍であって、後方端縁部１０Ｃの中央部より左後方コーナー１０ｂｃ側もしくは右後方コーナー１０ｃｄ側に寄った位置であることを認識し、かつ、マーカー２６が固定されたロープ２４Ｃが、例えば、自らの前方にあれば、舞台１０上における自らの向きは、舞台の前方を背にした向きであることを認識する。
【００４８】
従って、舞台１０上に張られたロープ２４Ａ及び２４Ｃに固定された球状体のマーカー２６を備えた本発明に係る舞台演出支援装置の第３の例は、演出効果を高めるべく、舞台１０のみならず、舞台１０に対する観客席を含めた劇場内の全体が暗闇とされた場合にも、なんらかの光源等の用意を必要とすることなく、舞台１０上の役者や歌手等とされる移動体に、舞台１０上における自らの位置及び向きを認識させることができ、その結果、演出効果を損なうことなく、舞台１０上の役者や歌手等とされる移動体に所望の動きをさせる舞台演出を支援できるものとなる。
【００４９】
上述の例においては、舞台１０が長方形状のものとされたもとで、舞台１０上に張られたロープ２４Ａにマーカー２６が単独で、及び、４個連接するものとされて固定され、また、舞台１０上に張られたロープ２４Ｃにマーカー２６が２個連接するもの、及び、３個連接するものとされて固定され、各マーカー２６が、例えば、球状体を成し、同じ素材あるいは原料をもって形成されたもの、あるいは、同じ表面加工処理が施されたものとされているが、本発明に係る舞台演出支援装置にあっては、舞台は長方形状のものに限られず、例えば、円形，半円形等のものであってもよく、また、マーカーについての個数，配置場所，形状，素材，原料，加工処理等は、舞台の形状あるいは舞台上における移動体の動き等に応じて、適宜選定され得るものである。
【００５０】
また、上述の例におけるマーカー２６は、前述の第１の例におけるマーカー１２及び１３のうちの少なくとも一方、あるいは、前述の第２の例におけるマーカー１５〜１８との組合わせ、あるいは、第１の例におけるマーカー１２及び１３の少なくとも一方、及び、第２の例におけるマーカー１５〜１８の両者との組合わせとして備えられてもよい。
【実施例４】
【００５１】
図４は、本発明に係る舞台演出支援装置の第４の例を、それが配された舞台の部分と共に示す。
【００５２】
図４に示される舞台１０は、図１に示される舞台１０と同様のものであり、それについての重複説明を省略する。
【００５３】
図４において、舞台１０には、その上方から吊り下げられた触感認識手段であるマーカー２７が配されている。マーカー２７は、例えば、舞台１０上における予め設定された位置の上方において吊下げ支持されたロープ２８に設けられた結び目とされており、それに触れたとき、ロープ２８の素材の触感及び結び目の触感から、触れたものがマーカー２７であることを直ちに認識できるものとされる。
【００５４】
従って、舞台１０上において、マーカー２７に、例えば、身体の一部が触れた者、例えば、役者２９は、マーカー２７から得られる触感を記憶している限り、仮に目視できないとしても、その触感から、触れた物体がマーカー２７であることを直ちに認識することができる。それにより、舞台１０上にいてマーカー２７に、例えば、身体の一部が触れた役者者２９は、舞台１０上におけるロープ２８の吊下げ位置を記憶している限り、仮に目視による確認ができないとしても、舞台上における自らの位置を認識することができる。
【００５５】
本発明に係る舞台演出支援装置の第４の例は、上述のマーカー２７を備えて構成されて、舞台１０に適用されているのである。そして、マーカー２７が上述のようにして舞台１０上に配されたもとで、例えば、演出効果を高めるべく、舞台１０と観客席とを含めた劇場内の全体が暗闇とされた場合には、マーカー２７が、なんらかの光源等の用意を必要とすることなく、暗闇におかれた舞台１０上で移動する役者や歌手等とされる移動体、例えば、役者２９に、舞台１０上における自らの位置を認識させる役割を果たす。
【００５６】
その際には、舞台１０上の移動体となる役者２９は、予めマーカー２７が設けられたロープ２８の舞台１０上における吊下げ位置とマーカー２７に触れたときの触感とを記憶して、舞台１０に上がる。そして、暗闇におかれた舞台１０上で移動する役者２９は、マーカー２７に、例えば、身体の一部が触れるとき、それにより得られる触感から、触れた物体がマーカー２７であることを認識し、それにより、舞台１０上における自らの位置を認識する。
【００５７】
従って、舞台１０上に吊り下げられたマーカー２７を備えた本発明に係る舞台演出支援装置の第４の例は、演出効果を高めるべく、舞台１０のみならず、舞台１０に対する観客席を含めた劇場内の全体が暗闇とされた場合にも、なんらかの光源等の用意を必要とすることなく、舞台１０上の役者や歌手等とされる移動体に、舞台１０上における自らの位置を認識させることができ、その結果、演出効果を損なうことなく、舞台１０上の役者や歌手等とされる移動体に所望の動きをさせる舞台演出を支援できるものとなる。
【００５８】
上述の例においては、舞台１０が長方形状のものとされたもとで、舞台１０上において吊下げ支持されたロープ２８に結び目が設けられて、マーカー２７が形成されているが、本発明に係る舞台演出支援装置にあっては、舞台は長方形状のものに限られず、例えば、円形，半円形等のものであってもよく、また、マーカーについての個数，配置場所，形状，作り方等は、舞台の形状あるいは舞台上における移動体の動き等に応じて、適宜選定され得るものである。
【００５９】
また、上述の例におけるマーカー２７は、前述の第１の例におけるマーカー１２及び１３のうちの少なくとも一方，前述の第２の例におけるマーカー１５〜１８、もしくは、前述の第３の例におけるマーカー２６との組合わせ、あるいは、第１の例におけるマーカー１２及び１３の少なくとも一方，第２の例におけるマーカー１５〜１８、及び、第３の例におけるマーカー２６との組合わせとして備えられてもよい。
【実施例５】
【００６０】
図５は、本発明に係る舞台演出支援装置の第５の例を、それが配された舞台と共に示す。
【００６１】
図５において一点鎖線により示される舞台１０は、図１に示される舞台１０と同様のものであり、その各部を図１と共通の符合をもって示し、それらについての重複説明を省略する。
【００６２】
図５においては、舞台１０上における左前方コーナ１０ａｂ，左後方コーナ１０ｂｃ，右後方コーナ１０ｃｄ及び右前方コーナ１０ｄａの各々を含む部分に、長方形を成すものとされたマーカー３０ａ，３０ｂ，３０ｃ及び３０ｄが配され、また、舞台１０上における舞台１０の中央部分に矢印形を成すマーカー３１が配されている。マーカー３１は、それが成す矢印形の先端が舞台１０の前方端縁部１０Ａに向けられたものとされている。これら、マーカー３０ａ〜３０ｄ及び３１の夫々は、例えば、ウレタン板状部材によって形成される。
【００６３】
マーカー３０ａ〜３０ｄの夫々は、それに触れた者が、舞台１０のコーナー部分にいることを認識できるものとされており、また、マーカー３１は、それに触れた者が、舞台１０の中央部分にいることを認識でき、かつ、それが成す矢印形の方向から、舞台１０上における自らの向きを認識できるものとされているのである。
【００６４】
また、舞台１０上において、マーカー３０ａとマーカー３１との間に、各々が三角形を成す複数のマーカー３２が同一方向をもって一列に並べられて配され，マーカー３０ｂとマーカー３１との間に、各々が矢印形を成す複数のマーカー３３が同一方向をもって一列に並べられて配され，マーカー３０ｃとマーカー３１との間に、各々がハート形を成す複数のマーカー３４が同一方向をもって一列に並べられて配され、さらに、マーカー３０ｄとマーカー３１との間に、各々が三角形を成す複数のマーカー３５が同一方向をもって一列に並べられて配されている。複数のマーカー３２の各々は、例えば、低反発ウレタン板状部材によって形成される。また、複数のマーカー３３及び複数のマーカー３５の各々は、例えば、ゴムスポンジ板状部材によって形成され、複数のマーカー３５の各々は、表面に複数の平行溝が設けられたものとされる。さらに、複数のマーカー３４の各々は、例えば、ウレタン板状部材によって形成され、表面に波形の凹凸が設けられたものとされる。
【００６５】
これらの複数のマーカー３２の各々, 複数のマーカー３３の各々, 複数のマーカー３４の各々及び複数のマーカー３５の各々は、それらに触れた者が、夫々から互いに異なる触感を得ることになり、また、夫々の形状に基づいて、舞台１０上における自らの向きを認識できるものとされているのである。
【００６６】
さらに、舞台１０上におけるマーカ３１と舞台１０の前方端縁部１０Ａとの間の位置に“Ｎ”字形を成すマーカー３６が，舞台１０上におけるマーカ３１と舞台１０の左側方端縁部１０Ｂとの間の位置に“Ｅ”字形を成すマーカー３７が，舞台１０上におけるマーカ３１と舞台１０の後方端縁部１０Ｃとの間の位置に“Ｓ”字形を成すマーカー３８が、さらに、舞台１０上におけるマーカ３１と舞台１０の右側方端縁部１０Ｄとの間の位置に“Ｗ”字形を成すマーカー３９が、夫々配されている。これらマーカー３６〜３９の各々も、例えば、ゴムスポンジ板状部材によって形成されており、それらに触れた者が、舞台１０上での方角を認識できるものとされている。
【００６７】
上述のような各種のマーカーが設けられた舞台１０上にあっては、斯かるマーカーに加えて、前方端縁部１０Ａの内側におけるマーカー３０ａとマーカー３０ｄとの間，左側方端縁部１０Ｂの内側におけるマーカー３０ａとマーカー３０ｂとの間，後方端縁部１０Ｃの内側におけるマーカー３０ｂとマーカー３０ｃとの間、及び、右側方端縁部１０Ｄの内側におけるマーカー３０ｃとマーカー３０ｄとの間に、帯状を成すマーカー４０ａ，４０ｂ，４０ｃ及び４０ｄが夫々配されている。そして、マーカー４０ａ〜４０ｄの各々は、例えば、人口芝が植立されたシート部材によって形成される。このような、マーカー４０ａ〜４０ｄの夫々は、それらに触れた者が、舞台１０の端縁部分の近傍にいることを認識できるものとされているのである。
【００６８】
なお、舞台１０における左側方端縁部１０Ｂに沿って、例えば、絹製の幕４２が配され、また、舞台１０における右側方端縁部１０Ｄに沿って、例えば、ウール製の幕４３が配されている。このように、幕４２と幕４３とが、素材を異にして、それらに触れた者が夫々から互いに異なる触感を得ることになるものとされているので、幕４２に触れた者は、舞台１０の左側方端縁部１０Ｂにいることを認識することができ、また、幕４３に触れた者は、舞台１０の右側方端縁部１０Ｄにいることを認識することができる。
【産業上の利用可能性】
【００６９】
以上のような本発明に係る舞台演出支援装置は、演出効果の観点から暗闇とされる場面がある劇場内等における舞台において、演出効果を損なうことなく、暗闇とされる舞台上における役者や歌手等とされる移動体に舞台上の自分の位置や向きを認識させることができるものとして、様々な舞台に適用され得るものである。
【図面の簡単な説明】
【００７０】
【図１】図１は、本発明に係る舞台演出支援装置の第１の例を、それが配された舞台と共に示す平面図である。
【図２】本発明に係る舞台演出支援装置の第２の例を、それが配された舞台と共に示す平面図である。
【図３】本発明に係る舞台演出支援装置の第３の例を、それが配された舞台と共に示す平面図である。
【図４】本発明に係る舞台演出支援装置の第４の例を、それが配された舞台の部分と共に示す正面図である。
【図５】本発明に係る舞台演出支援装置の第５の例を、それが配された舞台の部分と共に示す平面図である。
【図６】本発明に係る舞台演出支援装置が適用された舞台とその舞台に対する観客席とを収容した劇場の一例を示す平面図である。
【符号の説明】
【００７１】
１０・・・舞台，  １２，１３，１５〜１８，２６，２７，３０ａ〜３０ｄ，３１〜３９，４０ａ〜４０ｄ・・・マーカー，  ２０〜２３・・・支柱，  ２４Ａ〜２４Ｄ，２８・・・ロープ，  ２９・・・役者，  ４２，４３・・・幕
【図１】
2008161290.tif 000003
【図２】
2008161290.tif 000004
【図３】
2008161290.tif 000005
【図４】
2008161290.tif 000006
【図５】
2008161290.tif 000007
【図６】
2008161290.tif 000008